(57)【要約】本発明は、カップリングを有する再利用可能な連結部であって、前記カップリングは、２つ以上の圧縮可能な板から形成された１つ以上の雄型コネクタ、および／または各雌型コネクタが雄型コネクタを受け入れるように形成された１つ以上の雌型コネクタを有し、前記雄型コネクタの前記圧縮可能な板は、前記雌型コネクタと弾性的に係合する形状であり、前記雄型コネクタの前記板は、雄型コネクタを雌型コネクタから取り外すことができるように圧縮可能である、カップリングを有する再利用可能な連結部を提供する。
2020530338.tif 000002
【特許請求の範囲】
【請求項１】
カップリングを有する再利用可能な連結部であって、前記カップリングは、
２つ以上の圧縮可能な板から形成された１つ以上の雄型コネクタ、および／または
各雌型コネクタが雄型コネクタを受け入れるように形成された１つ以上の雌型コネクタを有し、
前記雄型コネクタの前記圧縮可能な板は、前記雌型コネクタと弾性的に係合する形状であり、前記雄型コネクタの前記板は、雄型コネクタを雌型コネクタから取り外すことができるように圧縮可能である、カップリングを有する再利用可能な連結部。
【請求項２】
前記雄型コネクタが球形状に形成され、および／または前記雌型コネクタがソケット形状である、請求項１に記載の連結部。
【請求項３】
２つ以上のコネクタを備え、前記カップリングが２つ以上のコネクタを共に連結する、請求項１または２に記載の連結部。
【請求項４】
前記カップリングが線形、平面または三次元形状を有する、請求項１から３のいずれか一項に記載の連結部。
【請求項５】
１つ以上の雌型コネクタを備え、前記カップリングは球形、卵形、または多面体形状を有する、請求項４に記載の連結部。
【請求項６】
前記カップリングがロッドまたはカラーの形状である、請求項４に記載の連結部。
【請求項７】
前記カップリングは、ハブから延在する複数のロッドを備える、請求項４に記載の連結部。
【請求項８】
前記ハブは、中央ハブであり、前記カップリングは平面または三次元形状を有する、請求項７に記載の連結部。
【請求項９】
前記ハブは、可撓性のハブであり、１つ以上のロッドの向きを変え得る、請求項７または８に記載の連結部。
【請求項１０】
前記カップリングは、弾性プラスチック材料から形成される、請求項１から９のいずれか一項に記載の連結部。
【請求項１１】
前記雌型コネクタは、内壁を形成する切断球形状を有する、請求項１から１０のいずれか一項に記載の連結部。
【請求項１２】
前記雄型コネクタは、２つ以上の湾曲した板から形成される、請求項１から１１のいずれか一項に記載の連結部。
【請求項１３】
前記２つ以上の湾曲した板は、前記雌型コネクタの内壁と係合する凸形状を有する、請求項１２に記載の連結部。
【請求項１４】
前記雄型コネクタの１つ以上の前記板は、前記カップリングへの近位端から遠位端に向かって先細りになり、隣接する板のペアの間に空間が形成される、請求項１から１３のいずれか一項に記載の連結部。
【請求項１５】
別の物体に取り付けるためのフィッティングを有する、請求項１から１４のいずれか一項に記載の連結部。
【請求項１６】
装飾要素を有する、請求項１から１５のいずれか一項に記載の連結部。
【請求項１７】
前記カップリングは、光源、構造要素、および／または電気コネクタを受け入れるために中空構造である、請求項１から１６のいずれか一項に記載の連結部。
【請求項１８】
３つ以上の雄型コネクタおよび／または雌型コネクタを有するマルチプル連結部である、請求項１から１７のいずれか一項に記載の連結部。
【請求項１９】
請求項１から１８のいずれか一項に記載の、複数の再利用可能な連結部を備える集合体。
【請求項２０】
請求項１８に記載の複数のマルチプル連結部と、ロッドまたはカラーの形状のカップリングを有する複数の線形連結部とを備える、請求項１９に記載の集合体。
【請求項２１】
請求項１９または請求項２０に記載の連結部の集合体を組み立てることにより形成される構造。
【発明の詳細な説明】
【技術分野】
【０００１】
本発明は、再利用可能な雌型および雄型の連結部、およびそれらを組み合わせて形成される構造に関する。
【背景技術】
【０００２】
フレーム構造は、玩具などのさまざまな方法で使用され、または看板、衣服、テントを支えるために使用される。既存の構造は、解体が容易ではないため、柔軟に使用してさまざまな形状を作成することはできない。大量生産できるが、例えば布をドレープするための構造として身体の周りに配置したときに仕立ての効果を生み出すことによって、組み立てると個人に合わせられる連結部品が必要である。衣服の仕立てとカスタマイズを大量生産に合わせることができないという問題がある。さらに、既存の構造を分解および再構築できないという問題がある。
【０００３】
これらの問題を改善する方法が求められている。
【発明の概要】
【０００４】
本発明によれば、カップリングを有する再利用可能な連結部が提供され、カップリングは、
ａ．２つ以上の圧縮可能な板から形成された１つ以上の雄型コネクタ、および／または
ｂ．各雌型コネクタが雄型コネクタを受け入れるような形状の１つ以上の雌型コネクタ、を有し、
ここで、雄型コネクタの圧縮可能な板は、雌型コネクタと弾性的に係合する形状であり、雄型コネクタの板は、雄型コネクタを雌型コネクタから取り外すことができるように圧縮可能である。
【０００５】
本発明によれば、本発明による複数の再利用可能な連結部を備える、連結部の集合体がさらに提供される。
【０００６】
本発明によれば、本発明による連結部の集合体から組み立てられた構造も提供される。
【０００７】
本発明の利点は、連結部を共に使用して構造を形成するときには構造的完全性を有するが、それらを引き離すことによって容易に分解され得ることを含む。本発明による集合体は、膨大な数の異なる構造を構築する可能性を有する。カップリングの雌型結合部のサイズまたは雄型結合部の長さは、どの材料または製造方法が選択されるかによって変わる。雄型コネクタは、雌型コネクタに挿入してもよく、意図的に複数回雌型コネクタから取り外してもよい。
【０００８】
いくつかの実施形態では、雄型コネクタはボール形状に成形されてもよく、雌型コネクタはソケット形状であってもよい。ボールのような形状の雄型コネクタが２つ以上の板を有することの利点は、雄型コネクタを雌型コネクタ内で回転させて異なる構成を可能とすることを含む。
【０００９】
いくつかの実施形態では、再利用可能な連結部は、コネクタを互いに連結するためのカップリングを有してもよい。いくつかの実施形態では、カップリングは、直線、平面、球形、卵形、または多面体形状を有してもよい。いくつかの実施形態では、カップリングは、コネクタが雌型コネクタであり、球形、卵形、または多面体形状を有していてもよい。いくつかの実施形態では、カップリングはロッドまたはカラーの形状であってもよい。いくつかの実施形態では、カップリングは、カップリングが平面または三次元形状を有するように、中央ハブなどのハブから延在する複数のロッドを備えてもよい。いくつかの実施形態では、ハブは、ロッドのうちの１つ以上の向きが変更され得るように、可撓性のハブであってよい。いくつかの実施形態では、カップリングは、弾性プラスチック材料から形成されてもよい。
【００１０】
いくつかの実施形態では、雌型コネクタはソケット形状であってもよい。いくつかの実施形態では、雌型コネクタは、内壁を形成する切断球形状を有してもよい。いくつかの実施形態では、雌型コネクタは、内壁によって形成されるソケットの直径よりも狭い直径を有する開口部を有してもよい。
【００１１】
いくつかの実施形態では、雄型コネクタは、３つ以上の板から形成されてもよい。いくつかの実施形態では、雄型コネクタは４つの板から形成されてもよい。いくつかの実施形態では、雄型コネクタは、２つ以上の湾曲した板から形成されてもよい。特に、湾曲した板は、雌型コネクタの内壁に係合する凸形状を有する。いくつかの実施形態では、雄型コネクタの１つ以上の板は、特に隣接する板の各ペアの間に空間が形成されるように、カップリングの近位端から遠位端に向かって先細りになっている。いくつかの実施形態では、雄型コネクタの板は圧縮可能である。いくつかの実施形態では、雄型コネクタの板は、雌型コネクタの内壁に弾性的に係合し、実質的に球形を有する。
【００１２】
いくつかの実施形態では、連結部は、カップリングに別の物体に取り付けるためのフィッティングを有するフィッティング連結部であってもよい。フィッティングは、ロッド、フープ、またはデュアルフープの形をとることができる。フィッティングを有することの利点は、ストラップやワイヤなどの他の要素を、連結部などを含む構造に取り付けることができることである。
【００１３】
いくつかの実施形態では、連結部は、カップリングが、羽根、角、円盤、星、鱗（魚鱗など）、面などの幾何学的物体、および／またはフェイスマスクなどの装飾要素を有する、装飾連結部であってもよい。
【００１４】
いくつかの実施形態では、連結部は、光源、構造要素（支持ワイヤ、例えばマッスルワイヤなど）および／または電気コネクタを受け入れるために中空であってもよい。いくつかの実施形態では、光源は、光ファイバおよび／またはＬＥＤストリップであってよい。
【００１５】
いくつかの実施形態では、連結部は、３つ以上の雄型および／または雌型コネクタを有するマルチプル連結部であってもよい。いくつかの実施形態では、マルチプル連結部は、同じタイプの３つ以上のコネクタを有してもよい。いくつかの実施形態では、連結部は、カップリングの各端部に雄型または雌型コネクタを備えた線形カップリングを有する線形連結部であってもよい。いくつかの実施形態では、線形連結部は、同じタイプの２つのコネクタを備えてもよい。
【００１６】
いくつかの実施形態では、集合体は、複数のマルチプル連結部および複数の線形連結部を備えてもよい。いくつかの実施形態では、集合体は、それぞれが第１のタイプのコネクタを備える複数のマルチプル連結部と、第２のタイプのコネクタを備える複数の線形連結部とを備えてもよい。いくつかの実施形態では、集合体は、１つ以上の装飾連結部をさらに含んでもよい。
【図面の簡単な説明】
【００１７】
本発明は、添付図面の以下の図を参照して説明され、これらは特許請求の範囲に記載された発明の範囲を限定することを意図していない。
【図１Ａ】本発明による雌型連結部の概略斜視図である。
【図１Ｂ】雌型ソケットの異なる寸法を表示する、本発明による雌型連結部の概略斜視図である。
【図２Ａ】本発明による雄型連結部の第１の実施形態の部分概略斜視図である。
【図２Ｂ】本発明による雄型連結部の第１の実施形態で使用するための、雄型コネクタの概略斜視図である。
【図３】本発明による雄型連結部の第１の実施形態の概略平面図である。
【図４】本発明による連結部のペアの第１の実施形態の概略断面図である。
【図５】本発明による雄型連結部の第２の実施形態の概略斜視図である。
【図６】本発明による雄型連結部の第３の実施形態の概略斜視図である。
【図７】本発明による雄型連結部の第４の実施形態の概略斜視図である。
【図８】本発明による雌型連結部の第２の実施形態の概略斜視図である。
【図９】本発明による雌型連結部の第３の実施形態の概略斜視図である。
【図１０】本発明の第１および第３の実施形態による雌型連結部と、本発明の第１の実施形態による雄型連結部との組み合わせから形成された、本発明による構造の第１の実施形態を示す図である。
【図１１】本発明の第３の実施形態による雌型連結部と、本発明の第１の実施形態による雄型連結部との組み合わせから形成された、本発明による構造の第２の実施形態を示す図である。
【発明を実施するための形態】
【００１８】
本発明による雌型連結部は、添付図面の図１Ａおよび図１Ｂの１で全体的に示されている。雌型連結部１は、６つの雌型コネクタ３を有する、マルチプル雌型連結部１である。雌型連結部１は、６つの雌型コネクタ３を形成するカップリング７を有する。カップリング７は、実質的に球形の形状を有し、弾性プラスチック材料から形成される。各雌型コネクタ３は、カップリング７に形成された凹状ソケット形状である。各雌型コネクタ３は、内壁１０を形成する切断球形状を有する。各雌型コネクタ３は、図１ＢのＡで示される直径を有する開口部４を有し、これは、内壁１０によって形成された、ソケットの図１ＢのＢで示された直径よりも狭い。６つの雌型コネクタ３は、互いにほぼ直角に配置され、互いに約９０度の角度をなしている。したがって、雌型連結部１は、最大６つの雄型連結部５、１０５、２０５、３０５を接続できる、マルチプル連結部である。各雌型コネクタ３は、本発明による雄型連結部５、１０５、２０５、３０５の雄型コネクタ９を受け入れるように形作られている。
【００１９】
代替実施形態では、雌型マルチプル連結部１は、２つ、３つ、４つ、５つ、７つ、８つまたは９つなどの異なる数の雌型コネクタを有してもよい。代替実施形態では、雌型マルチプル連結部１は、卵形または４つ以上の面を持つ多面体形状のような異なる形状を有してもよい。代替実施形態では、雌型連結部１は、ゴム、ガラス、金属、または木材などの代替材料から形成されてもよい。代替実施形態では、雌型連結部１のカップリング７は、雌型連結部１が、雌型連結部１を照らすためのＬＥＤストリップまたは光ファイバ、雌型連結部１を支持するためのワイヤフレーム（マッスルワイヤなど）、および／またはワイヤなどの電気コネクタを受け入れることができるように、各コネクタ３を中空コアと接続する開口部（図示せず）を備えた中空コアを有してもよい。
【００２０】
本発明による雄型連結部の第１の実施形態は、添付図面の図２Ａ、図２Ｂ、図３中の５で全体的に示されている。雄型連結部５は雄型線形連結部５であり、カップリング１０７の各端部に全体的に９で示される雄型コネクタを備えた中空ロッドの形状の線形カップリング１０７を有する。中空ロッド１０７は、ロッドを照らすためのＬＥＤストリップを受け入れる内部チャネル１２を形成し、ＬＥＤストリップ１４は照明を提供するためのＬＥＤランプ１６を有する。各雄型コネクタ９は、４つの湾曲したプラスチック板１１から形成される。湾曲したプラスチック板１１は、雌型コネクタ３の壁１０と係合する凸状の湾曲形状を有する。各板１１は、ロッド１０７への近位端１３からその遠位端１５まで先細りになっており、各隣接する板１１のペアの間に空間１７が形成され、空間１７は、ロッド１０７への近位端からその遠位端まで広がり、プラスチック製の板１１は圧縮可能であり、雄型コネクタ９を雌型コネクタ３の開口部４に挿入することができる。板１１は、雌型コネクタ３の内壁１０と弾性的に係合する形状を有し、圧縮されていないときは図４に示すような実質的球形を有する。板１１は、図２ＢのＣで示す最大直径を有する。直径Ｃは、力が加えられていないときに雄型コネクタ９が位置を維持するのに十分な摩擦があるが、雄コネクタ９の位置を変えることができないほどの大きな摩擦がないように、雌コネクタ３の直径Ｂを補完する。雄型コネクタ９は、雌型コネクタ３の開口部１０が雄型コネクタ９の板１１を圧縮し、その直径が雌型コネクタ３の直径Ａより小さくなることで開口部１０に収まるように、２つを引き離すことにより雌型コネクタ３から取り外してもよい。
【００２１】
代替実施形態では、雄型線形連結部５は、雄型線形連結部５が雄型フィッティング線形連結部５となるように、線形カップリング１０７の一端にフィッティング８、１０８を有してもよい。代替実施形態では、内部チャネル１２は、ロッド、ロッド１０７を支持するためのワイヤフレーム（マッスルワイヤなど）、および／またはワイヤなどの電気コネクタを照らすための光ファイバを有することができる。代替実施形態では、雄型線形連結部５は、透明または半透明のプラスチック材料から形成されてもよい。
【００２２】
本発明による一対の連結部は、図４の３０で全体的に示される。ペア連結部１７は、雌型連結部１および雄型連結部５を有する。雄型連結部５の一つの雄型コネクタ９は、雄型コネクタ９の４つのプラスチック板１１が圧縮され、雌型コネクタ３の壁１０に弾性的に係合して一対の連結部１７が構造的完全性を有するように、雌型コネクタ３に押し込まれることにより、雌型連結部１の一つの雌型コネクタ３と係合する。ペア連結部３０は、雌型連結部１と雄型連結部５を引き離すことにより、容易に分解され得、連結部１、５が再利用可能な連結部になる。
【００２３】
本発明による雄型連結部の第２の実施形態は、添付図面の図５の１０５で全体的に示されている。雄型連結部１０５は、フィッティング８とカップリング２０７によって連結された９で示される雄型コネクタとを有する、雄型フィッティング連結部１０５である。カップリング２０７は、フィッティング８に形成されるカラー形状の線形カップリングである。フィッティング８はフープの形状である。各雄型コネクタ９は、４つの湾曲したプラスチック板１１から形成され、各板１１は、カップリング２０７への近位端からその遠位端まで先細りになり、空間１７が板１１の各隣接ペア間に形成され、空間１７がカップリング２０７への近位端からその遠位端まで広がり、４つのプラスチック板１１が圧縮可能であり、雌型コネクタ３の内壁１０に弾性的に係合し、実質的に球形を有する。フープ８によって、ストラップまたはワイヤなどの他の要素（図示せず）を、雄型連結部１０５を備える構造体４０に取り付けることができ、構造体４０を吊り下げられ得、または構造体４０を使用して物体（図示せず）を吊り下げ得る。
【００２４】
本発明による雄型連結部の第３の実施形態は、添付図面の図６の２０５で全体的に示されている。雄型連結部２０５は、フィッティング２０８と、カップリング２０７により連結された９で示される雄型コネクタを有する、雄型フィッティング連結部２０５である。カップリング２０７は、フィッティング１０８に形成されるカラー形状の線形カップリングである。フィッティング２０８はデュアルフープ形状である。雄型コネクタ９は、４つの湾曲したプラスチック板１１から形成され、各板１１は、カップリング２０７への近位端から遠位端まで先細りになり、板１１の隣接する各ペアの間に空間１７が形成され、空間１７がカップリング２０７への近位端からその遠位端まで広がり、４つのプラスチック板１１が圧縮可能であり、雌型コネクタ３の内壁１０に弾性的に係合し、実質的に球形を有する。デュアルフープ１０８によって、ストラップまたはワイヤなどの他の要素（図示せず）を、雄型連結部２０５を備える構造体４０に取り付けることができ、構造体４０を吊り下げられ得、または構造体４０を使用して物体（図示せず）を吊り下げ得る。
【００２５】
本発明による雄型連結部の第４の実施形態は、添付図面の図７の３０５で全体的に示されている。雄型連結部３０５は、中央ハブから延在する４本のロッドによって形成された十字形平面カップリング３０７の端部に取り付けられた９で全体的に示される４つのコネクタを有する、マルチプル雄型連結部３０５である。雄型コネクタ９は、４つの湾曲したプラスチック板１１から形成され、各板１１は、カップリング３０７への近位端から遠位端まで先細りになり、板１１の隣接する各ペアの間に空間１７が形成され、空間１７がカップリング３０７への近位端からその遠位端まで広がり、４つのプラスチック板１１が圧縮可能であり、雌型コネクタ３の内壁１０に弾性的に係合し、実質的に球形を有する。
【００２６】
代替実施形態では、雄型マルチプル連結部３０５は、カップリング３０７上の対応する数のロッドに取り付けられる３つ、５つ、６つ、７つ、８つまたは９つの雄型コネクタ９などの異なる数の雄型コネクタ９を有してもよい。別の実施形態では、カップリング３０７は、雄型コネクタの数よりも多い数のロッドを有してもよく、追加のロッドのそれぞれにフィッティング８、１０８が設けられてもよい。別の実施形態では、カップリング３０７は三次元形状を有してもよい。代替実施形態では、カップリング３０７は、各ロッドがハブから概念上の多面体形状または正角柱の面の中心に向かって延在するロッドの組み合わせによって形成されるような、規則的の三次元形状を有してもよい。代替実施形態では、カップリング３０７は、そのロッドの向きが変更され得るように、可撓性ハブを有してもよい。代替実施形態では、１つ以上の雄型コネクタ９を、対応する数の雌型コネクタ３で置き換えてもよい。
【００２７】
本発明による雌型連結部の第２の実施形態は、添付図面の図８の１０１で全体が示されている。雌型連結部１０１は、カップリング１０７の各端部に雌型コネクタ３を備えたロッド形状の線形カップリング１０７を有する、雌型線形連結部１０１である。各雌型コネクタ３は、内壁１０を形成する切断球形状を有するソケット形状である。
【００２８】
代替実施形態では、雌型コネクタ３の１つは、雄型コネクタ９またはフィッティング８、１０８によって置き換えられてもよい。
【００２９】
本発明による雌型連結部の第３の実施形態は、添付図面の図９の２０１で全体が示されている。雌型連結部２０１は、その表面に形成された雌型コネクタ３のアレイを備えた長方形プレート形状の平面カップリング４０７を有する、雌型プレート連結部２０１である。各雌型コネクタ３は、内壁１０を形成する切断球形状を有するソケット形状である。
【００３０】
別の実施形態では、プレート状カップリング４０７は、規則的または不規則な多角形などの異なる形状を有してもよく、人体または動物の体などの別の物体に成形されるように湾曲していてもよい。
【００３１】
本発明による構造の第１の実施形態は、添付の図面の図１０の４０で全体が示される。構造体４０は、マネキン５０に取り付けられた雌型プレート連結部２０１に取り付けられた、複数の相互接続された雌型マルチプル連結部１および雄型ロッド連結部５から形成されている。構造体４０は、マルチプル連結部１のマトリックスを備えたアーチ型の形状を有し、長さ方向に８つの雌型連結部１と幅方向に３つの雌型連結部１とが雄型連結部５によって相互接続されている。アーチ構造４０の内側の複数の雌型連結部１は、雄型連結部５によって雌型プレート連結部２０１に接続されている。細長い雄型ロッド連結部５は、アーチ形状の各端部の外側雌型連結部１とアーチ形状の上部の外側雌型連結部を中央の雌型連結部１に接続し、中央の連結部１も細長い雄型ロッド連結部５によって雌型プレート連結部２０１に接続されている。したがって、連結部１、５、２０１は、組み合わせて、例えば衣料品または衣装のための布地を支持するために使用できる構造的完全性を有する構造４０を提供する。構造体４０は、連結部１、５、２０１を引き離すことにより容易に分解され、それらを一緒に押し戻すことにより異なる形状に再組み立てされ得る。
【００３２】
本発明による構造の第２の実施形態は、添付の図面の図１１の１４０で全体が示されている。構造体１４０は、雌型プレート連結部２０１に取り付けられた複数の雄型フィッティング連結部４０５から形成されている。雄型フィッティング連結部４０５は、一端に装飾的な羽根の形のフィッティング３０８を有し、他端に雄型コネクタ９を有し、フィッティング３０８と雄型コネクタ９はロッドカップリング７によって接続される。連結部１、５、２０１を引き離すことによって容易に分解され、それらを押し戻すことで異なる形状に再組み立てされ得る。
【図１Ａ】
2020530338.tif 000003
【図１Ｂ】
2020530338.tif 000004
【図２Ａ】
2020530338.tif 000005
【図２Ｂ】
2020530338.tif 000006
【図３】
2020530338.tif 000007
【図４】
2020530338.tif 000008
【図５】
2020530338.tif 000009
【図６】
2020530338.tif 000010
【図７】
2020530338.tif 000011
【図８】
2020530338.tif 000012
【図９】
2020530338.tif 000013
【図１０】
2020530338.tif 000014
【図１１】
2020530338.tif 000015
【国際調査報告】
2020530338.tif 000016
2020530338.tif 000017